(57)【要約】【課題】パネルの固定時に、位置決めが容易で、作業性を向上することが可能な壁面構造を提供する。【解決手段】本発明は、壁面に配置される壁面構造であって、長尺状に形成されるとともに、長手方向に延びる少なくとも一つの挿嵌溝を有する係合型材と、  係合型材に隣接する基板と、化粧ボード、及び当該化粧ボードの背面から突出し挿嵌溝にスライド可能に嵌合する挿嵌部を有する壁パネルと、基板、及び壁パネルを固定する固定機構と、を備え、固定機構は、化粧ボードの背面から突出する突出具と、基板に設けられ突出部が嵌合する嵌合具とを備え、嵌合具は、基板に埋設されるとともに、突出具が進入する開口が形成され、当該開口が基板の表面から露出する収容部と、開口の周縁から前記基板の表面に沿って延びるフランジと、を備えており、フランジの周縁には基板の表面と連続するテーパが形成されている。【選択図】図１４
2007254976.tif 000002
【特許請求の範囲】
【請求項１】
壁面に配置される壁面構造であって、
長尺状に形成されるとともに、長手方向に延びる少なくとも一つの挿嵌溝を有する係合型材と、
前記係合型材に隣接する基板と、
化粧ボード、及び当該化粧ボードの背面から突出し前記挿嵌溝にスライド可能に嵌合する挿嵌部を有する壁パネルと、
前記基板、及び壁パネルを固定する固定機構と、を備え、
前記固定機構は、前記化粧ボードの背面から突出する突出具と、前記基板に設けられ前記突出部が嵌合する嵌合具とを備え、
前記嵌合具は、前記基板に埋設されるとともに前記突出具が進入する開口が形成され当該開口が前記基板の表面から露出する収容部と、前記開口の周縁から前記基板の表面に沿って延びるフランジと、を備えており、前記フランジの周縁には前記基板の表面と連続するテーパが形成されている、壁面構造。
【請求項２】
前記突出具は、前記化粧ボードの背面に固定される基部と、当該基部から突出するとともに、基部に対して弾性的に揺動可能な一対の突起部材とを備え、
前記一対の突起部材は、弾性変形により互いに近接することで、前記開口に進入するとともに、前記開口に係止する抜け止め部を有している、請求項１に記載の壁面構造。
【請求項３】
前記係合型材は、壁面に対して水平に配置され、
前記フランジは、前記開口の上方または下方の少なくとも一方の位置において前記化粧ボードに固定される、請求項１または２に記載の壁面構造。
【請求項４】
前記壁パネルの挿嵌部は、その先端が上方を向くように断面弧状に形成されており、前記基板は前記係合型材の下方に配置されている、請求項１から３のいずれかに記載の壁面構造。
【発明の詳細な説明】
【技術分野】
【０００１】
本発明は、壁面に配置される壁面構造に関する。
【背景技術】
【０００２】
従来、住宅や店舗内部の壁面を装飾する方法としては、壁面表面に壁紙や化粧シートを貼着する方法、あるいは、壁紙や化粧シートを貼着した壁パネルを用意しておき、これを壁面に釘打ち法、ビス止め法または接着剤等により取り付ける方法等により行われている。しかしながら、いずれの方法においても、模様替えや老朽化により貼り替えや交換は素人では困難であると共に工期や工費がかかるという問題があった。
【０００３】
そこで、簡単に取り外しや取り付けが可能な壁パネルの取り付け方法として、例えば、特殊な嵌合金具や螺子止め金具等を使用する方法が各種提案されている（たとえば、特許文献１参照）。この文献の壁面材では、モジュール化したパネルを準備するとともに、裏打ち材の所定の位置に予めナットを埋め込んでおく。そして、パネルに形成された貫通孔とナットとを対応させた後、つまみ付きボルトを貫通孔に挿入しながらナットに螺合させることで、パネルを裏打ち材に取り付けている。
【特許文献１】特開平６−３４１２０７号公報
【発明の開示】
【発明が解決しようとする課題】
【０００４】
上記文献に記載の技術は、工具を用いることなく手指で容易にパネルを着脱することができる点で有用な技術であるが、パネルを取り付けた壁面につまみ付きボルトが表出するために、意匠面においては表出する見つまみ付きボルトの見苦しさが拭えないものであった。また、ボルトによる固定の前に、パネルの位置決めを行う必要があるが、パネルの背面に隠れたナットと貫通孔とを一致させるのは、容易ではなく、作業性の点から問題があった。
【０００５】
本発明は、上記問題を解決するためになされたものであり、パネルの固定時に、位置決めが容易で、作業性を向上することが可能な壁面構造を提供することを目的とする。
【課題を解決するための手段】
【０００６】
本発明は、壁面に配置される壁面構造であって、上記問題を解決するためになされたものであり、長尺状に形成されるとともに、長手方向に延びる少なくとも一つの挿嵌溝を有する係合型材と、前記係合型材に隣接する基板と、化粧ボード、及び当該化粧ボードの背面から突出し前記挿嵌溝にスライド可能に嵌合する挿嵌部を有する壁パネルと、前記基板、及び壁パネルを固定する固定機構と、を備え、前記固定機構は、前記化粧ボードの背面から突出する突出具と、前記基板に設けられ前記突出具が嵌合する嵌合具とを備え、前記嵌合具は、前記基板に埋設されるとともに前記突出具が進入する開口が形成され当該開口が前記基板の表面から露出する収容部と、前記開口の周縁から前記基板の表面に沿って延びるフランジと、を備えており、前記フランジの周縁には前記基板の表面と連続するテーパが形成されている。
【０００７】
この構成によれば、壁面に配置される係合型材に長手方向に延びる挿嵌溝が形成され、壁パネルの背面に設けられた挿嵌部が挿嵌溝に摺動可能に嵌合するようになっているため、壁パネルを取り付ける際には、係合型材の長手方向端部から挿嵌溝に挿嵌部を挿入し、所定の位置までスライドさせればよい。
【０００８】
また、基板に設けられた嵌合具は、壁パネルの突出部が進入する開口と、その開口の周縁から延びるフランジを有するとともに、フランジの周縁には基板の表面と連続するテーパが形成されている。そのため、壁パネルをスライドさせれば、突出部は、テーパからフランジに乗り上げ、さらにスライドさせると開口に進入する。したがって、壁パネルをスライドさせるだけで、突出部と嵌合部との嵌合が行われるため、壁パネルの固定の際の位置決めが不要となり、壁面構造の組み立てを容易にしかも確実に行うことができる。
【０００９】
突出具と嵌合具からなる固定機構の構成は、種々の構成をとることができる。例えば、突出具を、化粧ボードの背面に固定される基部と、この基部から突出するとともに、基部に対して弾性的に揺動可能な一対の突起部材とで構成し、一対の突起部材が、弾性変形により互いに近接したときに、開口に進入するとともに、開口に係止する抜け止め部を有するように構成することができる。
【００１０】
また、上記係合型材は、水平に配置するほか、鉛直方向に向けて配置することもできる。水平方向に配置する場合には、フランジを、開口の上方または下方の少なくとも一方の位置において基板に固定することが好ましい。この場合、係合型材が水平方向に配置されるため、壁パネルは水平にスライドする。そのため、フランジを開口の上方または下方の少なくとも一方で固定するようにすれば、例えば固定に用いられるねじ等が突出していても突出具の経路を妨げないので、突出具がフランジ上をスムーズにスライドさせることができる。その結果、壁パネルの取付をさらに容易に行うことができる。
【００１１】
また、上記壁面構造において、壁パネルの挿嵌部を、その先端が上方を向くように断面弧状に形成し、基板を係合型材の下方に配置することができる。この構成によれば、挿嵌部が、その先端が上方を向くように断面弧状に形成されているため、この部分が抜け止めになって係合型材の挿嵌溝から抜けるのを防止することができる。そのため、壁パネルを係合型材からつり下げるように支持することができる。したがって、基板は係合型材の配置することができ、壁パネルの下部を固定機構によって基板に固定することができる。
【発明の効果】
【００１２】
本発明に係る壁面構造によれば、壁パネルの固定時に、位置決めが容易で、作業性を向上することが可能となる。
【発明を実施するための最良の形態】
【００１３】
以下、本発明に係る密閉部材及びこれを用い壁面構造の一実施形態について図面を参照しつつ説明する。図１は、本実施形態に係る壁面構造の斜視図、図２は図１のＡ−Ａ線断面図である。なお、以下の説明では、壁面から突出する方向を「前」、その反対方向を「後」と称することとする。
【００１４】
図１及び図２に示すように、この壁面構造は、壁面を装飾するためのものであり、複数の壁パネルＢによって壁面Ｗを覆っている。壁面Ｗには、複数の長尺状の係合型材Ａと、矩形状の基板Ｆとが配置され、これらに対して壁パネルＢが取り付けられる。そして、壁パネルＢ上には、物などを載せる棚体Ｅが配置されている。より詳細に説明すると、水平方向に延びる複数の係合型材Ａ，Ｓ，Ｔを上下に平行に並べるとともに、これらの間に基板Ｆを配置する。そして、係合型材Ａ，Ｓ，Ｔ及び基板Ｆは、壁面Ｗに対して釘、ねじ等で固定する。また、水平方向の両端の基板Ｆには、エンドカバー３８が取り付けられる。以上の係合型材Ａ，Ｓ，Ｔ、基板Ｆ、エンドカバー３８が壁下地材Ｍを構成する。そして、この壁下地材Ｍを覆うように、複数の壁パネルＢを配置する。各壁パネルＢは、係合型材Ａ，Ｓ，Ｔに対して固定されるとともに、基板Ｆに対しても固定される。そして、棚体Ｅが、壁パネルＢ上に配置され、係合型材Ａ，Ｓ，Ｔに固定される。このとき、壁パネルＢの下端と、棚体Ｅの上端との間の隙間には、ガスケット等の密閉部材５１が圧入される。以下、上述した各部材について詳細に説明する。
【００１５】
図３は壁パネルの斜視図である。壁パネルＢは、化粧ボード２０の背面上部に、取付具Ｄを取り付けることで構成されている。化粧ボード２０は、例えば、木質系基材の一方面に、化粧シートを貼り付けたものであり、化粧シートを貼り付けた面が表面となる。木質系基材としては、例えば、一般木材、中密度繊維板（いわゆる、ＭＤＦ）、合板、パーティクルボード等を用いることかできる。一方、化粧シートとしては、例えば、木目調、石目調、布目調、ヘアーライン調等のシートを用いたり、或いは布等をシートとして貼り付けることができる。あるいは、天然木や天然石そのものからなるシートであってもよい。また、化粧ボード２０の背面上部には、水平方向に延びる挿入溝２１が形成されており、この挿入溝２１に取付具Ｄが取り付けられる。一方、化粧ボード２０の下端部の両側付近には、一対の突出具２２が取り付けられている。
【００１６】
図４は壁パネルの背面に取り付けられる取り付け具の斜視図（ａ）及び断面図（ｂ）である。取付具Ｄはアルミニウム等の金属、あるいは、合成樹脂で形成された板状固定部１０を有しており、水平方向の両端付近には、ねじ穴Ｒが形成されている。また、板状固定部１０の上端部には前方及び後方に突出部が設けられている。後方への突出部は、板状固定部１０から略垂直方向に突出し、断面円弧状に形成された板状挿嵌部１１を構成している。一方、前方への突出部は、表面に凹凸が形成された挿入突起部１２を構成している。そして、図３に示すように、この挿入突起部１２が上述した化粧ボード２０の挿入溝２１に嵌合するとともに、ねじ穴ＲにねじＱが挿通されることで、取付具Ｄが化粧ボード２０に固定される。
【００１７】
図５は、突出具の断面図である。この突出具２２は、化粧ボード２０の背面下部に固定される板状の基部６２と、この基部６２から突出して弾性的に揺動可能な一対の突起部材６３とを備えている。一対の突起部材６３は、所定間隔をおいて対向する板状に形成されており、その中間部が円弧状に屈曲して突部６３ａを形成している。各突起部材６３の突部６３ａは、互いに離間するように外側へ屈曲しており、この突部６３ａ間の長さ（図５の左右方向の長さ）Ｋは、突起部材６３の付け根部間の長さＨよりも大きくなっている。また、基部６２は、突起部材６３の両側で化粧ボード２０に対してねじ止めされている。
【００１８】
基板Ｆについては、後述する図１１〜図１３に詳細に示されているが、例えば、一般木材、中密度繊維板（いわゆる、ＭＤＦ）、合板、パーティクルボード等で構成することができる。本実施形態の壁下地材Ｍでは、水平方向に３枚の基板Ｆを並べるが、図１２に示すように、右側と中央の基板Ｆには、左側の端部に切欠３６が形成されて断面Ｌ字型となっている。一方、左側の基板Ｆには、切欠が形成されていない。これにより、３枚の基板Ｆを並べた場合には、水平方向の二カ所に垂直方向に延びる溝３７が形成される。この溝３７には、例えば壁面に棚を取り付ける場合に用いられる棚支柱型材（いわゆるガチャ柱）を嵌め込むことができる。また、各基板Ｆの表面の下端部には、正面視円形の一対の穴が形成され、各穴には壁パネルＢの突出具２２が嵌合する嵌合具３９が取り付けられている。
【００１９】
なお、３枚の基板を用いずに、水平方向に延びる一枚の板材で、基板を構成することもできる。この場合、この基板には、水平方向の２カ所において切削加工などで垂直に延びる溝を形成するとともに、下端の６カ所の位置に嵌合具を取り付けておく。
【００２０】
図６は嵌合具を示す図であり、図６（ａ）は断面図、図６（ｂ）は正面図である。図６（ａ）に示すように、この嵌合具３９は、基板Ｆ内に埋め込まれる筒状の収容部７１を備えている。この収容部７１において基板表面に露出する端部には、上述した突起部材６３が進入する縦長の開口７３が形成されている。そして、この開口周縁からは基板Ｆに沿って延びるフランジ７４が形成されている。さらに、フランジ７４の周縁には、基板表面と連続するテーパ７５が形成されている。図６（ｂ）に示すように、フランジ７４は、縦長の略菱形状に形成されており、開口７３を挟む上下の位置それぞれにねじ止め用の穴７６が形成されている。なお、開口の左右方向の幅Ｊは、上述した突起部材６３の突部間の幅Ｋよりも狭く、付け根間の幅Ｈよりもやや大きく形成されている。
【００２１】
図７〜図９は、係合型材を示す斜視図（ａ）及び断面図（ｂ）である。係合型部は、３種類のものがある。すなわち、図２に示すように、壁面構造の最も上端に配置される第１係合型材Ｓ、上下方向に並ぶ基材と基材の間に配置される第２係合型材Ａ、及び最も下端に配置される第３係合型材Ｔである。
【００２２】
まず、第１係合型材Ｓから説明する。図２に示すように、この係合型材Ｓは、壁面構造の最上端に配置されるものであり、この係合型材Ｓの下部に基材Ｆの上端が嵌め込まれる。すなわち、この係合型材Ｓの上部には、基材は存在しない。図７に示すように、第１係合型材Ｓは、アルミニウム等の金属で形成され、水平に延びる挿嵌部Ｌを備えている。この挿嵌部Ｌは、壁面から水平に突出するように延びる上板１’と下板２’を備え、この間に、断面が上向き円弧状で下端に挿入口３ｂを有する挿嵌溝３３が形成さている。また、挿嵌部Ｌの下面の後部には逆コの字状の取付縁８’が垂下し、挿嵌部Ｌの下面の前部には取付縁８’と所定間隔を開けて板状の垂下状突起７’が垂下している。また、取付縁８’の水平方向の両端付近及び中央には、ねじ穴Ｒが形成されている。そして、取付縁８’と垂下状突起７’との間には、後述する基板Ｆが嵌合される。
【００２３】
次に、第２係合型材Ａについて説明する。上述したように、この係合型材は、上下方向に並ぶ基材Ｆと基材Ｆの間に配置されるものである。図８に示すように、この係合型材Ａはアルミニウム等の金属で形成され、水平方向に延びる上板１と下板２とを有する挿嵌部Ｌを備えている。上板１と下板２の間には、上段挿嵌溝３と下段挿嵌溝４とからなる上下二段の２条の挿嵌溝が形成されている。各挿嵌溝は、それぞれ断面が上向き円弧状で下端にそれぞれ上段挿入口３ａと下段挿入口４ａを有している。
【００２４】
下板２の下面の後端部には、逆Ｌ字状の支持縁９が垂下し、同じく下面の前端部には、支持縁９から所定間隔をおいて板状の垂下状突起７が垂下している。そして、これら支持縁９と前記垂下状突起７との間には、後述するように、基板Ｆが嵌合される。一方、上板１の上面の後部には、前側に開口する断面コの字状の板状取付縁８が垂下し、上板上面の前部には、板状取付縁８と所定間隔をあけて板状の垂直状突起６が垂下している。また、板状取付縁８の水平方向両端には、一対のねじ穴Ｒが形成されている。そして、取付縁８と垂直状突起６との間には、後述するように、基板Ｆが嵌合される。
【００２５】
続いて、第３係合型材について説明する。この係合型材は、壁面構造の最下端に配置されるものであり、最も下部に配置される基板Ｆの下端に、この係合型材Ｔが取り付けられる。図９に示すように、この係合型材Ｔはアルミニウム等の金属で形成され、水平方向に延びる下板２”の前端部に垂直上方に突出する板状突起３４を備えた断面ｈ字状の突起部が設けられている。また、下板２”の後端部には、垂直上方に起立形成された断面略柄杓（ひしゃく）状の取付縁８”が設けられている。そして、板状突起３４と取付縁８”との間には、断面Ｔ字状の嵌合凸部３５が上方に突出している。また、板状突起３４と取付縁８”との間には、下端にＴ字状溝が形成された基板Ｆが嵌め込まれる。さらに、取付縁８”には、水平方向に沿って３つのねじ穴Ｒが形成されている。なお、Ｔ字状溝が形成されていない基板Ｆを嵌合凸部３５に嵌合するようにしてもよいものである。
【００２６】
なお、図７〜図９においてはいずれもねじ穴Ｒを取付縁８，８’，８”に穿設したものを示したが、たとえば、材料がアルミニウムの押出し型材からなる場合は、予めねじ穴Ｒを設けることなく取り付け時に取付縁８，８’，８”に直接にねじを螺着してもよいものである。
【００２７】
次に、棚体について、図１０を参照しつつ説明する。この棚体は、棚板Ｖと、これを支持する棚受け用係止型材Ｃとで構成されている。図１０（ａ）は棚受け用係止型材Ｃの斜視図，図１０（ｂ）は棚受け用係止型材Ｃの断面図，図１０（ｃ）は棚体の断面図である。
図１０に示すように、棚受け用係止型材Ｃはアルミニウム等の金属で形成され、垂直方向に延びる支持板部１７を備えており、この支持板部１７の上端には、前方に垂直に延びる棚板挟持用上板部１６と、後方へ垂直に突出する断面弧状の板状挿嵌部１５とが設けられている。支持板部１７の中間部には、前方へ垂直に延びる棚板挟持用下板部１８が設けられており、棚板挟持用上板部１６との間に棚板が挿入される。支持板部において、棚板挟持用下板部１８と棚板挟持用上板部１６との間には、鋸歯状の板状挿入突起１９が形成されており、棚板Ｖの後端部に形成された挿入溝２１’に、この板状挿入突起１９が嵌め込まれる。また、支持板部の下端部と、棚板挟持用下板部１８との間には、支持強度を高めるために、板状の補強部４１が架け渡されている。これにより、棚板挟持用下板部１８、支持板部１７、及び補強部４１は、略直角三角形状の断面を形成している。
【００２８】
次に、上記のように構成された壁面構造の施工方法について図１、図２及び図１１〜図１４を参照しつつ説明する。図１１は壁体に取り付けた壁下地材の正面図、図１２は図１１のＸ−Ｘ線断面図、図１３は図１１のＹ−Ｙ線断面図である。図１４は壁パネルの取付操作を示す断面図である。
【００２９】
まず、壁下地材Ｍの取付方法について説明する。はじめに、第３係合型材Ｔを、ねじ穴ＲにねじＱを螺着することで、壁面Ｗに取り付ける。そして、基板Ｆの下端を第３係合型材Ｔの板状突起３４と取付縁８”との間に嵌合する。このとき、基板Ｆの下端面のＴ字状溝を嵌合凸部３５に嵌入させる。次に、基板Ｆの上端部に第２係合型材Ａを嵌合するとともに、この第２係合型材Ａを壁面Ｗに取り付ける。この取り付けは、ねじ穴ＲにねじＱを螺着することで行う。また、基板Ｆの上端は、第２係合型材Ａの支持縁９と垂下状突起７との間に嵌入する。続いて、新たな基板Ｆの下端部を第２係合型材Ａの取付縁８と垂直状突起６との間に嵌合する。これに続いて、上記と同様に、新たな第２係合型材Ａと基板Ｆの取り付けを行う。そして、最上段の基板Ｆの上端に、第１係合型材Ｓを嵌合する。このとき、基板Ｆの上端は、係合型材Ｓの取付縁８’と垂下状突起７’とで挟むようにする。また、第１係合型材Ｓは、螺子孔Ｒを貫通するように螺子Ｑを壁体Ｗに螺着することで基板Ｆとともに壁体Ｗに固定する。
【００３０】
これに続いて、各基板Ｆにねじまたは釘を打ち付け、基板Ｆ自体を壁体Ｗに固定する。以上の作業は、上下方向の一列の取付のみを説明したが、図１１に示すように、横方向には、３枚の基板Ｆを取り付け、合計９枚の基板Ｆを取り付ける。こうして、係合型材Ａ，Ｓ，Ｔ及び基板Ｆの取付が完了すると、両側の基板Ｆに、エンドカバー３８を取り付ける。エンドカバー３８は、Ｔ字型の長尺状に形成され、両側に配置されている基板ＦにねじＱでねじ止めする。これにより、壁下地材Ｍの両側面に配置された係合型材Ａ，Ｓ，Ｔ及び基板Ｆの側端面が覆われる。なお、係合型材Ａ，Ｓ，Ｔの両側は、壁パネルＢの板状挿嵌部１１を嵌め込むために、少なくとも嵌挿溝３，４の長手方向の両端を開放しておく必要がある。すなわち、エンドカバー３８の長さを調節してこの部分を覆わないようにしておく。
【００３１】
以上のようにして、壁下地材の取付が完了すると、壁パネルの取付を行う。このとき、壁パネルＢは、各基板Ｆを覆うように、合計９枚準備する。まず、壁パネル背面の取付具Ｄの板状挿嵌部１１をいずれかの係合型材Ａ，Ｓ，Ｔの挿嵌溝３，４に嵌め込む。このとき、第２係合型材Ａに対しては、下段挿嵌溝４に板状挿嵌部１１を嵌め込む。このはめ込みの際には、係合型材の長手方向端部から挿嵌溝３，４に嵌め込んでもよいし、係合型材の長手方向の途中から、つまり正面から嵌め込むこともできる。そして、この状態で、挿嵌溝４に板状挿嵌部１１が嵌っていることから、壁パネルＢを挿嵌溝４に沿って水平方向にスライドする。
【００３２】
このスライドに伴って、図１４（ａ）及び図１４（ｂ）に示すように、壁パネル２０の突起部材６３は基板Ｆ上をスライドしていき、嵌合具のテーパ７５によってフランジ７４に乗り上げる。そして、図１４（ｃ）に示すように、突起部材６３が嵌合具３９の開口７３に引っかかると、スライドが停止するので、この時点で壁パネルＢを押圧すると、図１４（ｄ）に示すように、突起部材６３が互いに近接するように弾性的に揺動し、開口７３に進入する。突起部材６３は、収容部７１内に完全に入り込むと、元の状態に戻る。これにより、突部６３ａが抜け止めになって、壁パネルＢが基板Ｆに固定される。以上のようにして、すべての壁パネルＢを壁下地材Ｍに取り付ける。
【００３３】
続いて、棚体Ｅの取付を行う。棚体は、いずれかの壁パネルを覆うように取り付ける。まず、上下方向に並ぶ壁パネルから露出する第２係合型材Ａの上段挿嵌溝３に棚体Ｅの棚板挿嵌部１５を挿入する。最後に、棚体Ｅの上端と壁パネルＢの下端との隙間に密閉部材５１を圧入すると、図１に示すように、作業が完了する。
【００３４】
以上のように、壁面Ｗに配置される係合型材Ａ，Ｓ，Ｔに長手方向に延びる挿嵌溝３，４が形成され、壁パネルＢの背面に設けられた挿嵌部１１が挿嵌溝３，４にスライド可能に嵌合するようになっているため、壁パネルＢを取り付ける際には、係合型材Ａ，Ｓ，Ｔの長手方向端部から挿嵌溝３，４に挿嵌部１１を挿入し、所定の位置までスライドさせればよい。
【００３５】
また、基板Ｆに設けられた嵌合具３９は、壁パネルＢの突起部材６３が進入する開口７３と、その開口７３の周縁から延びるフランジ７４を有するとともに、フランジ７４の周縁には基板Ｆの表面と連続するテーパ７５が形成されている。そのため、壁パネルＢをスライドさせれば、突起部材６３は、テーパ７５からフランジ７４に乗り上げ、さらにスライドさせると開口７３に進入する。したがって、壁パネルＢをスライドさせるだけで、突出具２２と嵌合具３９との嵌合が行われるため、壁パネルＢの固定の際の位置決めが不要となり、壁面構造の組み立てを容易にしかも確実に行うことができる。
【００３６】
以上、本発明の一実施形態について説明したが、本発明はこれに限定されるものではなく、その趣旨を逸脱しない限りにおいて種々の変更が可能である。
【００３７】
例えば、上記実施形態において、基板と壁パネルとを固定する固定機構は、嵌合具と突出具とで構成していたが、嵌合具及び突出具の構成は、これに限定されるものではない。すなわち、突出具は、基板上でのスライドを妨げるような形状でなければよく、必ずしも突部等の抜け止めを有していなくてもよい。例えば、ダボ穴とダボのように、ダボで突出具を構成し、嵌合具の開口をダボ穴のように構成することもできる。
【００３８】
また、上記実施形態の嵌合具３９は、図６に示すように縦方向に延びる略菱形に形成されているが、図１５に示すように、横方向に延びる略菱形に形成することもできる。この場合、フランジ７４における、開口７３を挟む水平方向の両端部にねじ止め等をすることで、嵌合具３９を基板Ｆに固定することになるが、開口７３の左右は、突出具２２のスライドする経路になるため、突出具２２のスムーズなスライドを確保するには、フランジ３７と同一面となるような上端部を有する皿ねじによって嵌合具３９を固定することが好ましい。
【００３９】
また、上述した壁パネルも上記したものに限定されず、種々の変更が可能である。例えば、図１６のような取付具を用いることもできる。この取付具Ｄ’は図４に示した取付具Ｄにおいて、下端部に板状挿嵌部１１側に突出する断面Ｔ字状の支持部１３が設けられている。これ以外の構成は図４に示した取付具Ｄと同じである。そして、この取付具を取り付けた壁パネルＢ’が図１７に示したものである。同図に示すように、支持部１３は、化粧ボードＢ’の背面から壁下地材Ｍ側に突出し、基板Ｆに当接する。
【００４０】
壁パネルＢ’を用いることにより、壁パネルＢ’に設けた取付具Ｄ’の支持部１３が基板Ｆにより支持されることとなり、壁パネルＢ’の安定性を得ることができると共に、上述した棚体Ｅを係合型材Ａの上段挿入口３ａから上段挿嵌溝３に挿嵌して取り付けた際に、棚体Ｅ（棚部材上に置かれた物品を含む）の荷重を壁パネルＢ’を介して確実に受けることができるので、壁パネルＢに比べて強度のある壁面構造とすることができる。
【００４１】
この壁パネルＢ’を用いることにより、図１８に示すように、壁パネルＢ’に設けた取付具Ｄ’の支持部１３が基板Ｆにより支持されることとなり、壁パネルＢ’の安定性を得ることができる。そして、上述した棚体Ｅを係合型材Ａの上段挿入口３ａから上段挿嵌溝３に挿嵌して取り付けた際に、棚体Ｅ（棚部材上に置かれた物品を含む）の荷重を壁パネルＢ’を介して確実に受けることができるので、壁パネルＢに比べて強度のある壁面構造とすることができる。この場合、この取付具Ｄ‘の支持部１３と棚体Ｅの支持板部１７の下端部Ｚとが、化粧ボード２０を挟んで対向する位置に配置されるようにすることが好ましい。これにより、次の効果を得ることができる。つまり、棚板Ｖに物品をのせた場合、棚板Ｖには、下向きの荷重が作用する。これを支持するのが上述した棚板挟持用下板部１８、支持板部１７、及び補強部４１であるが、この荷重の多くは支持板部１７の下端Ｚに作用するため、その押圧力によって化粧ボード２０が損傷する恐れがある。これに対して、上述したように構成すると、支持板部１７の下端Ｚに作用する力を、取付具Ｄ‘の支持部１３で受け止めることができるため、化粧ボードが損傷するのを防止することができる。
【図面の簡単な説明】
【００４２】
【図１】本発明に係る壁面構造の一実施形態を示す斜視図である。
【図２】図１のＡ−Ａ線断面図である。
【図３】図１の壁面構造に用いられる壁パネルの斜視図である。
【図４】図３の壁パネルに取り付けられる取付具の斜視図（ａ）及び断面図（ｂ）である。
【図５】図３の壁パネルに設けられる突出具の断面図である。
【図６】図５の突出具と嵌合する嵌合具の断面図（ａ）及び平面図（ｂ）である。
【図７】図１の壁面構造に用いられる第１係合型材の斜視図（ａ）、及び断面図（ｂ）である。
【図８】図１の壁面構造に用いられる第２係合型材の斜視図（ａ）、及び断面図（ｂ）である。
【図９】図１の壁面構造に用いられる第３係合型材の斜視図（ａ）、及び断面図（ｂ）である。
【図１０】図１の壁面構造に用いられる棚体を示す図であり、棚受け用係止型材の斜視図（ａ），その断面図（ｂ），及び棚体の断面図（ｃ）である。
【図１１】図１の壁面構造に用いられる壁下地材の正面図である。
【図１２】図１０のＸ−Ｘ線断面図である。
【図１３】図１０のＹ−Ｙ線断面図である。
【図１４】図５及び図６の突出具と嵌合具の嵌合の様子を示す断面図である。
【図１５】図６に示す嵌合具の他の例を示す平面図である。
【図１６】図４の取付具の他の例を示す斜視図（ａ）及び断面図（ｂ）である。
【図１７】図１６の取付具が取り付けられた壁パネルの斜視図である。
【図１８】図１７の壁パネルが用いられた壁面構造の断面図である。
【符号の説明】
【００４３】
１，１’                              上板
２，２’，２”                        下板
３                                    上段挿嵌溝
３ａ                                  上段挿入口
３ｂ                                  挿入口
４                                    下段挿嵌溝
４ａ                                  下段挿入口
６                                    垂直状突起
７，７’                              垂下状突起
８，８’，８”                        板状取付縁
９                                    支持縁
１０                                  板状固定部
１１                                  板状挿嵌部
１２                                  板状突起部
１３                                  支持部
１５                                  棚板挿嵌部
１６                                  棚板挟持用上板部
１７                                  支持板部
１８                                  棚板挟持用下板部
１９                                  板状挿入突起
２０                                  化粧ボード
２１，２１’                          挿入溝
２２                                  突出具
３３                                  挿嵌溝
３４                                  板状突起
３５                                  嵌合凸部
３６                                  Ｌ字状切欠部
３７                                  断面略コの字状凹部
３８                                  エンドカバー
３９                                  嵌合具
４１                                  補強部
６３                                  突起部材
７４                                  フランジ
７５                                  テーパ
Ａ，Ｓ，Ｔ                            係合型材
Ｂ，Ｂ’                              壁パネル
Ｃ                                    棚受け用係止型材
Ｄ，Ｄ’                              取付具
Ｅ                                    棚体
Ｆ                                    基板
Ｌ                                    挿嵌部
Ｍ                                    壁下地材
Ｎ１，Ｎ２                            壁面構造
Ｑ                                    螺子
Ｒ                                    螺子孔
Ｖ                                    棚板
Ｗ                                    壁体
【図１】
2007254976.tif 000003
【図２】
2007254976.tif 000004
【図３】
2007254976.tif 000005
【図４】
2007254976.tif 000006
【図５】
2007254976.tif 000007
【図６】
2007254976.tif 000008
【図７】
2007254976.tif 000009
【図８】
2007254976.tif 000010
【図９】
2007254976.tif 000011
【図１０】
2007254976.tif 000012
【図１１】
2007254976.tif 000013
【図１２】
2007254976.tif 000014
【図１３】
2007254976.tif 000015
【図１４】
2007254976.tif 000016
【図１５】
2007254976.tif 000017
【図１６】
2007254976.tif 000018
【図１７】
2007254976.tif 000019
【図１８】
2007254976.tif 000020
【手続補正書】
【提出日】平成19年4月18日(2007.4.18)
【手続補正１】
【補正対象書類名】図面
【補正対象項目名】図１
【補正方法】変更
【補正の内容】
【図１】
2007254976.tif 000021
【手続補正２】
【補正対象書類名】図面
【補正対象項目名】図２
【補正方法】変更
【補正の内容】
【図２】
2007254976.tif 000022
【手続補正３】
【補正対象書類名】図面
【補正対象項目名】図３
【補正方法】変更
【補正の内容】
【図３】
2007254976.tif 000023
【手続補正４】
【補正対象書類名】図面
【補正対象項目名】図５
【補正方法】変更
【補正の内容】
【図５】
2007254976.tif 000024
【手続補正５】
【補正対象書類名】図面
【補正対象項目名】図６
【補正方法】変更
【補正の内容】
【図６】
2007254976.tif 000025
【手続補正６】
【補正対象書類名】図面
【補正対象項目名】図１０
【補正方法】変更
【補正の内容】
【図１０】
2007254976.tif 000026
【手続補正７】
【補正対象書類名】図面
【補正対象項目名】図１１
【補正方法】変更
【補正の内容】
【図１１】
2007254976.tif 000027
【手続補正８】
【補正対象書類名】図面
【補正対象項目名】図１３
【補正方法】変更
【補正の内容】
【図１３】
2007254976.tif 000028
【手続補正９】
【補正対象書類名】図面
【補正対象項目名】図１４
【補正方法】変更
【補正の内容】
【図１４】
2007254976.tif 000029
【手続補正１０】
【補正対象書類名】図面
【補正対象項目名】図１５
【補正方法】変更
【補正の内容】
【図１５】
2007254976.tif 000030